(57)【要約】【課題】  コンテンツを構成するＡＶ信号の記録を行う際に、種々の記録条件に適した圧縮方式を自動的に選択してＡＶ信号を圧縮記録する圧縮記録装置を提供することを目的とする。【解決手段】  ＡＶ信号（ＡＶｄ）を圧縮して記録媒体（Ｍ１）に記録する圧縮記録装置（ＣＲ）において、エンコーダ（Ｅｎ）はＡＶ信号（ＡＶｄ）を複数の異なる種類の圧縮方式（Ｅｎ＿１〜Ｅｎ＿Ｎ）で圧縮でき、圧縮方式選択器（８、ＩＥＦＳ）はＡＶ信号（ＡＶｄ）に対して適用する圧縮方式（Ｅｎ＿１〜Ｅｎ＿Ｎ）を選択する。【選択図】  図１
2006059469.tif 000002
【特許請求の範囲】
【請求項１】
ＡＶ信号を圧縮して第１の記録媒体に記録する圧縮記録装置であって、
前記ＡＶ信号を複数の異なる種類の圧縮方式で圧縮できるＡＶ信号圧縮手段と、
前記ＡＶ信号に対して適用する圧縮方式を選択する圧縮方式選択手段とを備える圧縮記録装置。
【請求項２】
前記圧縮方式選択手段は、前記ＡＶ信号に関する付帯情報に基づいて、適用する圧縮方式を選択することを特徴とする請求項１に記載の圧縮記録装置。
【請求項３】
前記付帯情報は、前記ＡＶ信号に対する圧縮ビットレートであることを特徴とする請求項２に記載の圧縮記録装置。
【請求項４】
前記付帯情報は、前記ＡＶ信号が構成するコンテンツのジャンルであることを特徴とする請求項２に記載の圧縮記録装置。
【請求項５】
前記第１の記録媒体の種類を検出する記録媒体認識手段をさらに備え、
前記圧縮方式選択手段は、検出された記録媒体の種類に基づいて、適用する圧縮方式を選択することを特徴とする請求項１に記載の圧縮記録装置。
【請求項６】
前記第１の記録媒体における前記ＡＶ信号の記録に使用する使用可能記録容量を検出する残容量検出手段と、
前記ＡＶ信号のデータ容量を検出するデータ容量検出手段と、
前記使用可能記憶容量と前記データ容量に基づいて、前記圧縮ビットレートを算出するビットレート算出手段とをさらに備える請求項３に記載の圧縮記録装置。
【請求項７】
前記ＡＶ信号は第２の記録媒体から読み出されることを特徴とする請求項６に記載の圧縮記録装置。
【請求項８】
前記圧縮方式選択手段は、前記付帯情報と提供すべき圧縮方式とを定めた圧縮方式選定情報を備え、
前記圧縮方式選定情報を改編できる編集手段をさらに備える請求項２に記載の圧縮記録装置。
【請求項９】
前記圧縮方式は、ＤｉｖＸ、ＭＰＥＧ２、ＭＰＥＧ４、およびＭＰＥＧ４−ＡＶＣを含むグループから選ばれることを特徴とする、請求項１に記載の圧縮記録装置。
【発明の詳細な説明】
【技術分野】
【０００１】
本発明は、映像コンテンツや音楽コンテンツなどのＡＶ信号を圧縮して記録媒体に記録する圧縮記録装置に関し、さらに詳述すれば、コンテンツおよび記録装置の状態に応じて選択される圧縮記録方式で記録媒体に記録する圧縮記録装置に関する。
【背景技術】
【０００２】
近年、映像コンテンツや音楽コンテンツをユーザにて保持保管する用途に、同コンテンツを構成するＡＶ信号を圧縮して記録媒体に記録する圧縮記録装置が普及している。しかしながら、圧縮記録装置が利用できる記録媒体の容量は、基本的に、記録するＡＶ信号に対して不十分である。また、記録媒体の容量が、１つのＡＶ信号の記録には十分であったとしても、複数のＡＶ信号の記録には不十分である。さらに、記録媒体のコストや、記録されたコンテンツの保管性や取り扱いの便宜の観点から、記録後のコンテンツの再生品質の劣化が許容できる範囲内で、ＡＶ信号をより効率的に圧縮記録できる圧縮記録装置が望まれている。
【０００３】
必要記録容量を抑えるには、ＡＶ信号を低ビットレートで圧縮記録すれば良いが、記録されたＡＶ信号から再生されるコンテンツ（特に映像）の品質は、記録前に比べて大きく劣化してしまい、ユーザが保持保管する本来の目的にそぐわないことが多い。つまり、記録品質と記録容量とはトレードオフの関係にある。
【０００４】
このような相反する要求に対して、コンテンツのＡＶ信号の情報密度はユーザの感覚の観点からみれば逐次変化している点に着目して、ＡＶ信号の時間軸上におけるそれぞれの画像の特性に従い、圧縮ビットレートを可変とすることで、記録画質と記録容量のバランスを保つ圧縮記録技術（特許文献１）が提案されている。
【特許文献１】特開平９−７００４１号公報
【発明の開示】
【発明が解決しようとする課題】
【０００５】
近年、それぞれ異なる圧縮特徴を有する各種の圧縮記録方式が実現されている。それに応じて、複数の圧縮記録方式の記録／再生に対応した記録／再生装置も登場してきている。そのような圧縮記録方式の一例として、ＭＰＥＧ４およびＤｉｖＸが挙げられる。ＤｉｖＸ方式は、ＤＶＤなどの光ディスクへの録画に一般的に用いられる圧縮方式であるＭＰＥＧ２方式と比較すると、低ビットレート記録における画質で優位性を持つ。逆に、高ビットレート記録においては、ＤｉｖＸ方式よりＭＰＥＧ２方式の方が優位性を持つ。即ち、記録時の圧縮ビットレートによって、最も効果的な画質を得られる圧縮記録方式は異なる。つまり、圧縮ビットレートによって、最適な記録品質を実現できる圧縮記録方式は異なる。
【０００６】
また、圧縮記録装置の観点からみれば、採用できる圧縮ビットレートは、一義的には、記録媒体の使用可能容量とコンテンツのＡＶ信号の容量との関係で決まる。つまり、同一の記録媒体であっても、記録するコンテンツ（ＡＶ信号）の数によって、採用できる圧縮ビットレートは異なる。そして、圧縮ビットレートに応じて、記録品質も異なる。なお、記録媒体の使用可能容量とは、ユーザがコンテンツの記録に割り当てる記録容量と言い換えることができる。
【０００７】
一方、コンテンツ（ＡＶ信号）の供給側の観点からは、コンテンツにはコンテンツ供給者（作成者）の意図するコンテンツ（映像や画像）品質がある。それゆえに、そのようなコンテンツ供給者の意図したコンテンツ品質を満すか、それに近い品質での圧縮記録が好ましい。
【０００８】
さらに、コンテンツ（ＡＶ信号）を記録して保持保管を望むユーザの観点からは、コンテンツの記録品質に対する要求は、その目的によって異なる。つまり、記録コンテンツに対するユーザの要求品質は、供給側の要求品質と必ずしも一致するものでない。さらに、圧縮装置における採用可能な圧縮ビットレートに起因する記録品質とも一致するとは限らない。
【０００９】
例えば、ユーザにとっては、コンテンツ供給側の要求／推奨品質よりは劣っても、時間軸上に抜けなく完全に記録する方が好ましいコンテンツがある。このようなコンテンツとしては、野球等のスポーツ中継放送がある。また、完全でなくてもよいので、画質を最優先で記録するほうが好ましいコンテンツがある。このようなコンテンツとして、絵画等の美術放送がある。このように、ユーザにとっての好ましい記録品質は、上述の各要求品質と、ある時は一致し、ある時は反するが、何れにしてもコンテンツの圧縮記録はユーザの要望であるので、ユーザが判断および選択できることが重要である。
【００１０】
しかるに、上述の可変圧縮ビットレートで記録する方法では、圧縮記録装置における記録媒体の使用可能容量を考慮していないために、使用可能容量が不十分であれば、コンテンツを全時間に渡って記録できない。さらに、使用可能容量に基づく、適用可能圧縮ビットレートを考慮していないために、ビットレートに対応する最適な圧縮記録方式を選択することもできない。また、コンテンツ供給側およびユーザ側の要望を反映させることも出来ない。
【００１１】
上述のように、ＡＶ信号の圧縮ビットレートは、記録時の種々の条件やユーザの要求によって変化する。ここで、種々の条件とは記憶媒体の使用可能な残容量やＡＶ信号の再生所用時間、さらに供給側やユーザの意図などである。ユーザの意図には、できる限り小さいサイズに記録したいとか、記録媒体に丁度収まるように記録したいとか、とにかく時間的欠損なく記録したいとか、生成品質最優先で記録したいなどの要望が含まれる。
【００１２】
このような要望を満足させる為には、ユーザ自身が、使用可能容量、コンテンツ（ＡＶ信号）の容量（再生時間）、コンテンツに適した圧縮記録方式、圧縮記録方式と圧縮ビットレートの関係、さらには、供給側の推奨記録品質をコンテンツの記録に先立って知ると共に、対応する圧縮方式を適切に選択して、圧縮記録装置を制御する必要がある。しかしながら、通常のユーザがそのような選択を行うことは不可能である。
【００１３】
よって、本発明は、上述の各種条件において、最適な圧縮方式を自動的に選択して記録するような圧縮記録装置を提供することを目的とする。
【課題を解決するための手段】
【００１４】
ＡＶ信号を圧縮して第１の記録媒体に記録する圧縮記録装置であって、
前記ＡＶ信号を複数の異なる種類の圧縮方式で圧縮できるＡＶ信号圧縮手段と、
前記ＡＶ信号に対して適用する圧縮方式を選択する圧縮方式選択手段とを備える圧縮記録装置。
【発明の効果】
【００１５】
本発明は、コンテンツを構成するＡＶ信号の記録を行う際に、画質、記録媒体、ユーザの趣向、およびコンテンツ供給側の意図に代表される種々の記録条件に適した圧縮方式を自動的に選択してＡＶ信号を圧縮記録することで、記録条件に対して最適な状態でＡＶ信号を圧縮記録できる。
【発明を実施するための最良の形態】
【００１６】
（第１の実施の形態）
以下に、図１、図２、および図３を参照して、本発明の第１の実施の形態にかかる圧縮記録装置について説明する。図１に示すように、本実施の形態にかかる圧縮記録装置ＣＲ１は、好ましくは、Ａ／Ｄコンバータ２、第１セレクタ４、エンコーダＥｎ、第２セレクタ６、圧縮方式選択器８ａ、エンコードユニット選択器１０、デジタル記憶装置Ｒａ、およびシステムコントローラ１００ａを含む。エンコーダＥｎは、それぞれ圧縮方式が異なるＮ個の圧縮記録方式エンコードユニットＥｎ＿１〜Ｅｎ＿Ｎを含む。エンコーダＥｎはハードウェアおよびソフトウェアの何れで構成されてもよい。システムコントローラ１００ａは、圧縮記録装置ＣＲ１の各構成要素および圧縮記録装置ＣＲ１の全体の動作を制御する制御器であり、好ましくはマイクロコンピュータで構成される。さらに、システムコントローラ１００ａは、ＡＶ信号の圧縮記録条件も管理する。
【００１７】
ＡＶ信号の圧縮記録条件には、例えば、一般的なＤＶＤレコーダなどの録画機器で言うところの録画モードや予約録画やダビングなどにが含まれる。即ち、圧縮記録装置ＣＲ１でＡＶ信号を予約録画で記録する場合は、予め所定時間をシステムコントローラ１００ａが把握している。
【００１８】
圧縮記録装置ＣＲ１は、外部のデジタルＡＶ信号源（図示せず）あるいはアナログＡＶ信号源（図示せず）に接続されて、それぞれ第１のデジタルＡＶ信号ＡＶｄ１およびアナログＡＶ信号Ｓａｖが入力される。アナログＡＶ信号Ｓａｖは、Ａ／Ｄコンバータ２によってＡ／Ｄ変換されて、第２のデジタルＡＶ信号ＡＶｄ２が生成される。第１のデジタルＡＶ信号ＡＶｄ１および第２のデジタルＡＶ信号ＡＶｄ２は、共に第１セレクタ４に入力される。なお、特にそれぞれを識別する必要のない限り、第１のデジタルＡＶ信号ＡＶｄ１および第２のデジタルＡＶ信号ＡＶｄ２をデジタルＡＶ信号ＡＶｄと総称する。
【００１９】
圧縮方式選択器８ａは、第１セレクタ４に入力されるデジタルＡＶ信号ＡＶｄのそれぞれに適用すべき圧縮記録方式を規定する圧縮方式選定情報ＩＥＦＳが格納されている。具体的には、圧縮方式選択器８ａには外部から、第１セレクタ４に入力されているデジタルＡＶ信号ＡＶｄを示すデジタルＡＶ信号識別情報Ｉｄおよび適用すべき圧縮方式そのもの表す圧縮方式指示情報Ｉｅｎの少なくとも何れかを有する圧縮方式指示信号Ｅｉｄが入力される。
【００２０】
圧縮方式選択器８ａは、圧縮方式指示信号Ｅｉｄに含まれるデジタルＡＶ信号識別情報Ｉｄあるいは圧縮方式指示情報Ｉｅｎを、格納されている圧縮方式選定情報ＩＥＦＳと照合して適応すべき圧縮記録方式ＥＦを表す圧縮方式指示情報Ｉｅｆを生成する。なお、圧縮方式指示信号Ｅｉｄは、デジタルＡＶ信号ＡＶｄやアナログＡＶ信号Ｓａｖの一部として、或いは別個に供給されても良い。また、圧縮方式指示信号Ｅｉｄには、デジタルＡＶ信号ＡＶｄが構成するコンテンツの内容、たとえばジャンルなどを表すキーワードが含まれてもあっても良く、この場合、圧縮方式選択器８ａにはキーワードに対応する圧縮記録方式が規定する情報が記録されているものとする。
【００２１】
さらに、圧縮方式指示信号Ｅｉｄに、圧縮ビットレートＢＲを指定する圧縮ビットレート指定情報Ｉｂｒを含めても良い。この場合、圧縮方式選択器８ａには、圧縮ビットレートＢＲに対応する圧縮記録方式を規定するビットレート圧縮方式対応情報ＩＢｒＥｆが圧縮方式選定情報ＩＥＦＳとして記録されていることは言うまでもない。つまり、圧縮方式指示信号Ｅｉｄは、デジタルＡＶ信号ＡＶｄに関する付帯情報であり、同付帯情報に対応して適用すべき圧縮方式が圧縮方式選定情報ＩＥＦＳとして定義されている。
【００２２】
図２に、圧縮方式選択器８ａに格納されている圧縮方式選定情報ＩＥＦＳの一例であるビットレート圧縮方式対応情報ＩＢｒＥｆを示す。ビットレート圧縮方式対応情報ＩＢｒＥｆは、本例においては、圧縮ビットレートＢＲを表すビットレート列Ｃｂｒと適用すべき圧縮方式ＥＦを表す圧縮方式列Ｃｅｆとの２列と、ビットレート列Ｃｂｒと圧縮方式列Ｃｅｆとの組み合わせに対応する３つのビットレート／圧縮方式対応行Ｌｂｒ１〜Ｌｂｒ３とでテーブル状に構成されている。ビットレート／圧縮方式対応行Ｌｂｒ１においては、圧縮ビットレートＢＲが１．５以下の場合には、適用される圧縮方式ＥＦはＭＰＥＧ４−ＳＰであることが規定されている。
【００２３】
同様に、ビットレート／圧縮方式対応行Ｌｂｒ２においては、圧縮ビットレートＢＲが１．５より大きく、４．０未満の場合には、圧縮方式ＥＦはＭＰＥＧ２が適用されることが規定されている。さらに、ビットレート／圧縮方式対応行Ｌｂｒ３においては、圧縮ビットレートＢＲが４．０以上の場合には、圧縮方式ＥＦはＭＰＥＧ２が適用されることが規定されている。なお、可変ビットレートで録画する場合は、上記ビットレートは平均ビットレートを意味する。
【００２４】
これは、上述のように、圧縮ビットレートＢＲが小さい場合には、ＡＶ信号の圧縮後の品質は、ＭＰＥＧ４の方がＭＰＥＧ２より良いことを考慮して定められているためである。このように、コンテンツ供給側或いはユーザが、圧縮方式指示信号Ｅｉｄに圧縮ビットレート指定情報Ｉｂｒを含ませることによって、圧縮方式選択器８ａは圧縮方式を一意に決定し、エンコードユニット選択器１０は対応する圧縮記録方式エンコードユニットＥｎを一意に選択できる。つまり、ビットレートＢＲに応じて高画質を得られる圧縮方式が自動的に選択されて適用される。
【００２５】
なお、上述のビットレート圧縮方式対応情報ＩＢｒＥｆのビットレート列Ｃｂｒに、圧縮ビットレートＢＲの代わりに、ジャンルなどのキーワードあるいはコンテンツ（デジタルＡＶ信号ＡＶｄ）の種類を表す情報を格納すれば、キーワードやコンテンツの種類に応じて圧縮記録方式ＥＦを選択することができる。
【００２６】
なお、本例においては圧縮方式指示信号Ｅｉｄを圧縮方式選択器８ａに入力して、適応すべき圧縮記録方式ＥＦを選択しているが、圧縮方式指示信号Ｅｉｄに相当する情報をシステムコントローラ１００ａに入力して、システムコントローラ１００ａが圧縮方式選択器８ａを制御して、あるいは圧縮方式選択器８ａの代わりに直接圧縮記録方式ＥＦを選択してもよい。
【００２７】
本例における圧縮方式指示信号Ｅｉｄは、上述の供給側の意図を反映するものである。つまり、コンテンツ供給側がコンテンツの種類に応じて最適と考える記録品質を実現するための圧縮方式が指定される。なお、このような圧縮方式指示信号Ｅｉｄは、コンテンツ（ＡＶ信号）の供給側でＡＶ信号に混入させても良いし、ＡＶ信号とは独立してユーザに供給するようにしてもよい。さらに、ユーザ自身が、キーボードなどの入力機器（図示せず）を介して、圧縮記録装置ＣＲ１に入力してもよい。この場合は、圧縮方式指示信号Ｅｉｄに、上述のユーザの意図或いは要望を反映させることができる。
【００２８】
エンコードユニット選択器１０には、圧縮記録方式ＥＦのそれぞれと圧縮記録方式エンコードユニットＥｎ＿１〜Ｅｎ＿Ｎとの対応関係を表す情報が格納されている。そして、エンコードユニット選択器１０は、圧縮方式選択器８ａから出力される圧縮方式指示情報Ｉｅｆによって指示される圧縮方式に対応する圧縮記録エンコードユニットＥｎ＿ｎ（ｎは１以上、Ｎ以下の整数）を指示するエンコードユニット選択信号Ｓｓを生成する。なお、圧縮記録方式エンコードユニットＥｎ＿１〜Ｅｎ＿Ｎを圧縮記録方式エンコードユニットＥｎと総称する。
【００２９】
第１セレクタ４は、エンコーダＥｎの上流に配置されて、エンコードユニット選択信号Ｓｓに基づいて、Ｎ個のエンコードユニットＥｎ＿１〜Ｅｎ＿Ｎの何れか１つに選択的にデジタルＡＶ信号ＡＶｄを入力させる。なお、デジタルＡＶ信号ＡＶｄとは、第１のデジタルＡＶ信号ＡＶｄ１および第２のデジタルＡＶ信号ＡＶｄ２の総称であることは上述の通りである。Ｎ個のエンコードユニットＥｎ＿１〜Ｅｎ＿Ｎのそれぞれは、第１セレクタ４を介して入力されたデジタルＡＶ信号ＡＶｄを所定の方式で圧縮符号化して、圧縮ＡＶ信号ＡＶｃ１〜ＡＶｃＮを生成して出力する。なお、圧縮ＡＶ信号ＡＶｃ１〜ＡＶｃＮを圧縮ＡＶ信号ＡＶｃと総称する。
【００３０】
第２セレクタ６は、エンコーダＥｎの下流に配置されて、エンコードユニット選択信号Ｓｓに基づいて、Ｎ個のエンコードユニットＥｎ＿１〜Ｅｎ＿Ｎの何れか１つを選択して、その出力信号である圧縮ＡＶ信号ＡＶｃ１〜ＡＶｃＮの何れかをデジタル記憶装置Ｒａに供給する。なお、第１のデジタルＡＶ信号ＡＶｄ１と第２のデジタルＡＶ信号ＡＶｄ２（アナログＡＶ信号Ｓａｖ）が時分割されて圧縮記録装置ＣＲ１に入力される場合には、そのような時分割情報を圧縮方式指示信号Ｅｉｄの一部として圧縮方式選択器８ａに入力、或いはシステムコントローラ１００ａに入力することによって、第１のデジタルＡＶ信号ＡＶｄ１および第２のデジタルＡＶ信号ＡＶｄ２をそれぞれに対応する圧縮記録方式エンコードユニットＥｎによって圧縮符号化できる。同様に、エンコードユニット選択信号Ｓｓに基づいて、第２セレクタ６は、第１のデジタルＡＶ信号ＡＶｄ１および第２のデジタルＡＶ信号ＡＶｄ２に対応する圧縮ＡＶ信号ＡＶｃを適時デジタル記憶装置Ｒａに出力できる。
【００３１】
デジタル記憶装置Ｒａは、第２セレクタ６から出力される圧縮ＡＶ信号ＡＶｃを、記録媒体Ｍ１に記録する。なお、デジタル記憶装置Ｒａにおいて、記録媒体Ｍ１にデータを記録するために必要な各手段は公知のであるので、説明および図示を省略している。第１のデジタルＡＶ信号ＡＶｄ１および第２のデジタルＡＶ信号ＡＶｄ２が時分割されて圧縮記録装置ＣＲ１に入力される場合には、デジタル記憶装置Ｒａはエンコードユニット選択器１０から出力されるエンコードユニット選択信号Ｓｓに基づいて、第１のデジタルＡＶ信号ＡＶｄ１および第２のデジタルＡＶ信号ＡＶｄ２にそれぞれ対応する２種類の圧縮ＡＶ信号ＡＶｃを記録媒体Ｍ１上に識別して然るべく記録する。
【００３２】
なお、第１のデジタルＡＶ信号ＡＶｄ１および第２のデジタルＡＶ信号ＡＶｄ２の何れか一方のみが圧縮記録装置ＣＲ１に入力される場合には、デジタル記憶装置Ｒａは入力される圧縮ＡＶ信号ＡＶｃを、エンコードユニット選択信号Ｓｓに基づくことなく、受動的に記録媒体Ｍ１に記録できる。
【００３３】
次に、図３に示すフローチャートを参照して、圧縮記録装置ＣＲ１によるデジタルＡＶ信号ＡＶｄの圧縮記録動作について説明する。なお、圧縮記録動作に先立って、デジタル記憶装置Ｒａにはコンテンツに対して十分な記録容量を有する記録媒体Ｍ１が記録可能な状態で装着されており、コンテンツのＡＶ信号（デジタルＡＶ信号ＡＶｄ或いはＳａｖ）が入力されれば、記録を開始できる状態にあるものとする。
【００３４】
先ず、ステップＳ２において、デジタルＡＶ信号ＡＶｄが圧縮記録装置ＣＲ１に入力されているか否かが判断される。なお、アナログＡＶ信号Ｓａｖが入力される場合には、自動的にＡ／Ｄコンバータ２によって、第２のデジタルＡＶ信号ＡＶｄ２に変換されて第１セレクタ４に入力される。この意味において、本ステップにおいては、第１セレクタ４にデジタルＡＶ信号ＡＶｄが入力されているか否かが判断される。Ｙｅｓと判断された時点で、制御は次のステップＳ６ａに進む。
【００３５】
ステップＳ６ａにおいて、圧縮方式選択器８ａによって圧縮方式指示信号Ｅｉｄが取得される。そして、制御は次のステップＳ１２ａに進む。
【００３６】
ステップＳ１２ａにおいて、圧縮方式選択器８ａによって、ビットレート圧縮方式対応情報ＩＢｒＥｆから圧縮方式指示情報Ｉｅｆが抽出される。そして、制御は次のステップＳ１４に進む。
【００３７】
ステップＳ１４において、エンコードユニット選択器１０によって、圧縮方式指示情報Ｉｅｆに基づいて、エンコードユニット選択信号Ｓｓが生成される。そして、制御は次のステップＳ１６に進む。
【００３８】
ステップＳ１６において、エンコードユニット選択信号Ｓｓに基づいて、第１セレクタ４は、入力されるデジタルＡＶ信号ＡＶｄを、選択された適用すべき圧縮記録方式エンコードユニットＥｎに選択的に入力させる。第２セレクタ６も同様に、エンコードユニット選択信号Ｓｓに基づいて、デジタルＡＶ信号ＡＶｄが入力される圧縮記録方式エンコードユニットＥｎを選択して、デジタル記憶装置Ｒａに接続する。そして、制御は次のステップＳ１８に進む。
【００３９】
ステップＳ１８において、エンコードユニット選択信号Ｓｓで指定された圧縮記録方式エンコードユニットＥｎが、入力されるデジタルＡＶ信号ＡＶｄを固有の方式でエンコードして圧縮ＡＶ信号ＡＶｃを生成する。つまり、デジタルＡＶ信号ＡＶｄは、上述のようにジャンルやキーワード、さらにデジタルＡＶ信号ＡＶｄ毎に定められた、コンテンツ供給側或いはユーザの意図に沿った圧縮方式で圧縮される。そして、制御は次のステップＳ２０に進む。
【００４０】
ステップＳ２０において、生成された圧縮ＡＶ信号ＡＶｃは、第２セレクタ６を介してデジタル記憶装置Ｒａに入力される。そして、制御は次のステップＳ２２に進む。
【００４１】
ステップＳ２２において、デジタル記憶装置Ｒａは入力された圧縮ＡＶ信号ＡＶｃを記録媒体Ｍ１に記録する。なお、上述のように、第１のデジタルＡＶ信号ＡＶｄ１と第２のデジタルＡＶ信号ＡＶｄ２が時分割されて入力される場合には、デジタル記憶装置Ｒａはエンコードユニット選択信号Ｓｓに基づいて、第１のデジタルＡＶ信号ＡＶｄ１と第２のデジタルＡＶ信号ＡＶｄ２のそれぞれを識別して、記録媒体Ｍ１上に適正に記録する。そして、制御は次のステップＳ２４に進む。
【００４２】
ステップＳ２４において、記録すべきデジタルＡＶ信号ＡＶｄ（第１のデジタルＡＶ信号ＡＶｄ１或いはアナログＡＶ信号Ｓａｖ）の入力が終了したか否かが判断される。Ｎｏ、つまり終了していないと判断される場合、制御はステップＳ６ａに戻り、上述の処理を繰り返す。そして、Ｙｅｓと判断される時点で、処理が終了する。
【００４３】
なお、本例においては、圧縮記録方式エンコードユニットＥｎによるエンコードの度に、デジタル記憶装置Ｒａにて圧縮ＡＶ信号ＡＶｃが記録されるように構成されている。しかしながら、圧縮記録方式エンコードユニットＥｎと第２セレクタ６の間或いは、内部に適当なバッファを設けることによって、全て或いは所定量の圧縮ＡＶ信号ＡＶｃを蓄積しておき、一度にデジタル記憶装置Ｒａに出力して、記録媒体Ｍ１に記録するように構成できる。所定量を記録する場合には、ステップＳ２０とステップＳ２２の間に、タイマーか圧縮ＡＶ信号ＡＶｃの量を計数する手段を設けて、計数した時間或いはデータ量が所定量に達した時点で、ステップＳ２２に制御を移すステップを設ければよい。また、全てを一度に記録する場合には、ステップＳ２４をステップＳ２０の後に移動させれば良い。
【００４４】
上述のように、本実施の形態に係る圧縮記録装置ＣＲ１においては、コンテンツの供給側或いは、コンテンツの利用者であるユーザのコンテンツの記録品質に対する意図や要求を反映した圧縮記録方式でコンテンツを圧縮記録できる。
【００４５】
（第２の実施の形態）
図４、図５、および図６を参照して、本発明の第２の実施の形態にかかる圧縮記録装置について説明する。図４に示すように、本実施の形態にかかる圧縮記録装置ＣＲ２は、図１に示した圧縮記録装置ＣＲ１において、システムコントローラ１００ａがシステムコントローラ１００ｂに交換されている。デジタル記憶装置Ｒｂに格納されている記録媒体Ｍ１の種類（Ｓｍ）を識別する記録媒体認識器１２がエンコードユニット選択器１０と第１セレクタ４ｂとの間に新たに設けられている。さらに、圧縮方式選択器８ａが、圧縮方式選択器１０と記録媒体認識器１２に間に設けられる圧縮方式選択器８ｂと交換されている。
【００４６】
圧縮方式選択器８ａが圧縮方式指示信号Ｅｉｄに基づいて、デジタルＡＶ信号ＡＶｄに対応する圧縮方式を選択して圧縮方式指示情報Ｉｅｆを生成するのに対して、圧縮方式選択器８ｂは記録媒体の種類（Ｓｍ）に基づいて圧縮方式を選択して圧縮方式指示情報Ｉｅｆを生成する。そのために、圧縮方式選択器８ｂには、ビットレート圧縮方式対応情報ＩＢｒＥｆの代わりに媒体圧縮方式対応情報ＩＭＥｆが圧縮方式選定情報ＩＥＦＳとして格納されている。
【００４７】
図５に、媒体圧縮方式対応情報ＩＭＥｆの一例を示す。媒体圧縮方式対応情報ＩＭＥｆは、本例においては、記録媒体Ｍ１の種類Ｓｍを表す記録媒体列Ｃｍ１と適用すべき圧縮方式ＥＦを表す圧縮方式列Ｃｅｆとの２列と、記録媒体列Ｃｍ１と圧縮方式列Ｃｅｆとの組み合わせに対応する３つの記録媒体／圧縮方式対応行Ｌｓｍ１〜Ｌｓｍ３とでテーブル状に構成されている。記録媒体／圧縮方式対応行Ｌｓｍ１においては、記録媒体Ｍ１がＳＤ−Ｃａｒｄの場合には、適用される圧縮方式ＥＦはＭＰＥＧ４−ＳＰであることが規定されている。同様に、記録媒体／圧縮方式対応行Ｌｓｍ２においては、記録媒体Ｍ１がハードディスクドライブ（ＨＤＤ）である場合には、圧縮方式ＥＦはＭＰＥＧ２が適用されることが規定されている。さらに、記録媒体／圧縮方式対応行Ｌｓｍ３においては、記録媒体Ｍ１がＤＶＤである場合には、圧縮方式ＥＦはＭＰＥＧ２が適用されることが規定されている。
【００４８】
これは、一般的に、ＳＤ−Ｃａｒｄに比べて、使用可能記憶容量ＶＭの大きなＨＤＤやＤＶＤの方が、同一のコンテンツの記録に対してより大きな圧縮ビットレートＢＲを適用できることを考慮して定められているためである。このように、記録媒体Ｍ１の種類によって、圧縮方式選択器８ｂは圧縮方式を一意に決定し、エンコードユニット選択器１０は対応する圧縮記録方式エンコードユニットＥｎを一意に選択できる。つまり、記録媒体Ｍ１に応じて高画質を得られる圧縮方式が自動的に選択されて適用される。
【００４９】
次に、図６に示すフローチャートを参照して、圧縮記録装置ＣＲ２によるデジタルＡＶ信号ＡＶｄの圧縮記録動作について説明する。本実施の形態におけるフローチャートは、ステップＳ６ａおよびステップＳ１２ａがそれぞれステップＳ６ｂおよびステップＳ１２ｂに交換されている点を除いて、図３に示した第１の実施の形態にかかるフローチャートと基本的に同一である。よって、本実施の形態に固有な動作についてのみ説明する。
【００５０】
先ず、ステップＳ２を経て、ステップＳ６ｂにおいて、圧縮方式指示信号Ｅｉｄ（おけるステップＳ６ａ）の代わりに記録媒体種類Ｓｍが取得される。そして、制御は次のステップＳ１２ｂに進む。
【００５１】
ステップＳ１２ｂにおいて、圧縮方式選択器８ｂによって、記録媒体種類Ｓｍに基づいて、媒体圧縮方式対応情報ＩＭＥｆから圧縮方式指示情報Ｉｅｆが抽出される。そして、上述のステップＳ１４〜Ｓ２４における処理の後に、制御は終了する。
【００５２】
上述のように、本実施の形態に係る圧縮記録装置ＣＲ２においては、圧縮記録装置ＣＲ１とは異なり、記録媒体Ｍ１の種類によって、コンテンツの供給側或いは、コンテンツの利用者であるユーザのコンテンツの記録品質に対する意図や要求とは関係なく、記録媒体Ｍ１の種類に応じた圧縮記録方式でコンテンツを圧縮記録できる。
【００５３】
（第３の実施の形態）
図７および図８を参照して、本発明の第３の実施の形態にかかる圧縮記録装置について説明する。図７に示すように、本実施の形態にかかる圧縮記録装置ＣＲ３は、図４に示した圧縮記録装置ＣＲ２において、圧縮方式選択器８ｂ、デジタル記憶装置Ｒａ、およびシステムコントローラ１００ｂがそれぞれ圧縮方式選択器８ａ、デジタル記憶装置Ｒｃ、およびシステムコントローラ１００ｃに交換されると共に、記録媒体認識器１２が削除されている。また、デジタル記憶装置Ｒｃはデジタル記憶装置Ｒａにおいて、記録媒体Ｍ１の使用可能記録容量Ｖｒを検出する残容量算出器１４が追加されている。さらに、残容量算出器１４と圧縮方式選択器８ａとの間に、ビットレート算出器１６が新たに設けられている。
【００５４】
ビットレート算出器１６は、記録媒体Ｍ１に記録するコンテンツのデジタルＡＶ信号ＡＶｄのサイズを表すコンテンツ長情報ＬＣが外部から入力される。なお、コンテンツ長情報ＬＣは、上述の圧縮方式指示信号Ｅｉｄと同様に、コンテンツ供給側あるいはユーザが入力してもよいし、デジタルＡＶ信号ＡＶｄ（アナログＡＶ信号Ｓａｖ）と別個あるいは混入されてもよい。ビットレート算出器１６は、コンテンツ長情報ＬＣと残容量算出器１４から出力される使用可能記録容量Ｖｒに基づいて、デジタルＡＶ信号ＡＶｄのすべてを記録媒体Ｍ１に記録するために適用できる最大の圧縮ビットレートＢＲを算出する。
【００５５】
圧縮方式選択器８ａは、図２に示した例においては、圧縮方式選定情報ＩＥＦＳとしてビットレート圧縮方式対応情報ＩＢｒＥｆが格納されており、ビットレート算出器１６から出力される圧縮ビットレートＢＲに対応する圧縮記録方式ＥＦを表す圧縮方式指示情報Ｉｅｆをエンコードユニット選択器１０に出力する。以降の処理は、上述の圧縮記録装置ＣＲ１および圧縮記録装置ＣＲ２におけるのと同様である。
【００５６】
図８に示すフローチャートを参照して、圧縮記録装置ＣＲ３によるデジタルＡＶ信号ＡＶｄの圧縮記録動作について説明する。本実施の形態におけるフローチャートは、ステップＳ６ａがステップＳ６ｃに交換されると共に、ステップＳ６ｃとステップＳ１２ａの間に、新たなステップＳ８およびＳ１０が挿入されている点を除いて、図３に示した第１の実施の形態にかかるフローチャートと基本的に同一である。よって、本実施の形態に固有な動作についてのみ説明する。
【００５７】
先ず、ステップＳ２を経て、ステップＳ６ｃにおいて、ビットレート算出器１６によりコンテンツ長情報ＬＣが取得される。そして、制御は次のステップＳ８に進む。
【００５８】
ステップＳ８において、残容量算出器１４によって、使用可能記録容量Ｖｒが検出される。なお、本実施の形態においては、検出される使用可能記録容量Ｖｒは記録媒体Ｍ１における残容量であるが、さらにユーザが残容量より小さな容量をデジタルＡＶ信号ＡＶｄの圧縮記録に充てるべく、使用可能記録容量Ｖｒとして指定するようにしてもよい。そして、制御は次のステップＳ１０に進む。
【００５９】
ステップＳ１０において、ビットレート算出器１６によって、コンテンツ長情報ＬＣおよび使用可能記録容量Ｖｒに基づいて圧縮ビットレートＢＲが算出される。そして、上述のステップＳ１２〜Ｓ２４における処理の後に、制御は終了する。
【００６０】
上述のように、本実施の形態に係る圧縮記録装置ＣＲ３においては、圧縮記録装置ＣＲ１および圧縮記録装置ＣＲ２とは異なり、記録媒体Ｍ１の使用可能記録容量Ｖｒと、記録するデジタルＡＶ信号ＡＶｄの大きさとの関係に応じた圧縮記録方式でコンテンツを圧縮記録できる。
【００６１】
（第４の実施の形態）
図９および図１０を参照して、本発明の第４の実施の形態にかかる圧縮記録装置について説明する。図９に示すように、本実施の形態にかかる圧縮記録装置ＣＲ４は、図７に示した圧縮記録装置ＣＲ３において、デジタル記憶装置Ｒｃがデジタル記憶装置Ｒｄに交換されると共に、ビットレート算出器１６にはコンテンツ長情報ＬＣが外部からではなく、デジタル記憶装置Ｒｄから入力される。より詳しくは、デジタル記憶装置Ｒｄは、デジタル記憶装置Ｒｃにおいて、第３のデジタルＡＶ信号ＡＶｄ３の供給源である記録媒体Ｍ２が新たに設けられている。
【００６２】
本実施の形態においては、記録媒体Ｍ１および記録媒体Ｍ２と言う複数の記録媒体Ｍが設けられており、例えば、一方の記録媒体Ｍ２に記録されている第３のデジタルＡＶ信号ＡＶｄ３を、もう一方の記録媒体Ｍ１へのダビングを可能としいている。なお、本例においては、圧縮記録装置ＣＲ４における記録媒体Ｍ１から記録媒体Ｍ２への第３のデジタルＡＶ信号ＡＶｄ３のダビングについてのみ説明するが、圧縮記録装置ＣＲ４が上述の圧縮記録装置ＣＲ１、圧縮記録装置ＣＲ２、および圧縮記録装置ＣＲ３と同様に、第１のデジタルＡＶ信号ＡＶｄ１あるいは第２のデジタルＡＶ信号ＡＶｄ２を記録媒体Ｍ１に圧縮記録できることは言うまでもない。さらに、記録媒体Ｍ２に第１のデジタルＡＶ信号ＡＶｄ１あるいは第２のデジタルＡＶ信号ＡＶｄ２を記録するように構成することも容易である。
【００６３】
圧縮記録装置ＣＲ４においては、ダビングされる第３のデジタルＡＶ信号ＡＶｄ３のコンテンツ長情報ＬＣは、デジタル記憶装置Ｒｄによって記録媒体Ｍ２から読み出されて、ビットレート算出器１６に連絡される。コンテンツ長情報ＬＣは、記録媒体Ｍ２に記録されている第３のデジタルＡＶ信号ＡＶｄ３のコンテンツの再生所要時間が用いられる。そして、ダビング先の記録媒体Ｍ１の使用可能記録容量Ｖｒは、圧縮記録装置ＣＲ３におけると同様に残容量検出器１２にて検出されて、ビットレート算出器１６に連絡される。なお、以降の動作は、圧縮記録装置ＣＲ３に関して上述した通りであるので、説明を割愛する。
【００６４】
図１０に示すフローチャートを参照して、圧縮記録装置ＣＲ４によるデジタルＡＶ信号ＡＶｄの圧縮記録動作について説明する。本実施の形態におけるフローチャートは、ステップＳ２およびステップＳ６ｃがそれぞれステップＳ２ｄおよびステップＳ６ｄに交換されている点を除いて、図８に示した第３の実施の形態にかかるフローチャートと基本的に同一である。よって、本実施の形態に固有な動作についてのみ説明する。
【００６５】
先ず、ステップＳ２ｄにおいて、記録媒体Ｍ２にダビング元の第３のデジタルＡＶ信号ＡＶｄ３が記録されているか否かが判断される。なお、記録媒体Ｍ２に複数のデジタルＡＶ信号ＡＶｄが記録されている場合には、ダビング元のデジタルＡＶ信号ＡＶｄが指定されているか否かを判断するように構成される。Ｙｅｓと判断された時点で、制御は次のステップＳ６ｄに進む。
【００６６】
ステップＳ６ｄにおいて、記録媒体Ｍ２に記録されているダビング元の第３のデジタルＡＶ信号ＡＶｄ３のコンテンツ長情報ＬＣが読み出される。そして、上述のステップＳ８〜Ｓ２４における処理の後に、制御は終了する。
【００６７】
上述のように、本実施の形態に係る圧縮記録装置ＣＲ４においては、圧縮記録装置ＣＲ３と同様に、記録媒体Ｍ１の使用可能記録容量Ｖｒと、記録するデジタルＡＶ信号ＡＶｄの大きさとの関係に応じた圧縮記録方式でコンテンツを圧縮記録できる。そして、さらに記録媒体Ｍ２記録されているコンテンツ（第３のデジタルＡＶ信号ＡＶｄ３）が、記録媒体Ｍ１の使用可能記録容量Ｖｒより大きい場合にも、記録媒体Ｍ１に収まるようにダビングできる。
【００６８】
（第５の実施の形態）
図１１および図１２を参照して、本発明の第５の実施の形態にかかる圧縮記録装置について説明する。図１１に示すように、本実施の形態にかかる圧縮記録装置ＣＲ５は、図９に示した圧縮記録装置ＣＲ４において、圧縮方式選択器８ａに格納されているビットレート圧縮方式対応情報ＩＢｒＥｆを編集できる圧縮方式選定情報改編器１８が新たに追加されている。さらに、システムコントローラ１００ｄがシステムコントローラ１００ｅに交換されている。
【００６９】
上述の実施の形態においては、コンテンツ供給側の意図やユーザ側の要望は、圧縮方式指示信号Ｅｉｄに混入させたりして、その圧縮方式指示信号Ｅｉｄの内容に応じて、圧縮方式選択器８に格納されている圧縮方式選定情報ＩＥＦＳより自動的に圧縮方式が選択されるように構成されている。しかしながら、本実施の形態においては、ユーザが圧縮方式選択器８ａに格納されている圧縮方式選定情報ＩＥＦＳを改編することによって、よりユーザの趣向に従った圧縮方式の選択を可能にするものである。
【００７０】
つまり、圧縮の結果に得られるＡＶ信号の再生品質の優劣は、一般的な共通概念としては、ビットレートによって定まっていることはすでに述べた通りである。しかしながら、再生品質、特に画質の優劣は、多分に主観的なものであり、先に述べた共通概念が全ての人にあてはまるわけではない。よって、本実施の形態においては、ユーザからの操作Ｏｕに従って、判断情報改編器１６が、圧縮方式選択器８ａの所有する判断情報を改編することを可能にしている。
【００７１】
これにより、よりユーザの趣向に従って圧縮方式の選択を調整できる。つまり、圧縮方式選定情報ＩＥＦＳの内容が固定されたままでなく、必要に応じて変更できるので、ユーザはより柔軟に圧縮方式を選択できる。また、変更された圧縮方式選定情報ＩＥＦＳを圧縮方式選択器８ａに記憶させることによって、ユーザが毎回調整する必要もない。
【００７２】
なお、本例において、圧縮記録装置ＣＲ５は、説明の便宜上、圧縮記録装置ＣＲ４に判断情報改編器１６を追加された構成された例が示されている。しかし、上述の圧縮記録装置ＣＲ１、圧縮記録装置ＣＲ２、圧縮記録装置ＣＲ３、および圧縮記録装置ＣＲ４の何れにおいて、判断情報改編器１６を追加して、圧縮記録装置ＣＲ５におけるのと同様に機能させることができることは言うまでもない。
【００７３】
図１２に示すフローチャートを参照して、圧縮記録装置ＣＲ５によるデジタルＡＶ信号ＡＶｄの圧縮記録動作について説明する。本実施の形態におけるフローチャートは、ステップＳ２ｄおよびステップＳ６ｄの間に、ステップ＃４の圧縮方式選定情報改編サブルーチンが挿入されている点を除いて、図１０に示した第４の実施の形態にかかるフローチャートと基本的に同一である。よって、本実施の形態に固有な動作についてのみ説明する。
【００７４】
先ず、ステップＳ２ｄにおいて、記録媒体Ｍ２にダビング元の第３のデジタルＡＶ信号ＡＶｄ３が記録されているか否かが判断される。なお、記録媒体Ｍ２に複数のデジタルＡＶ信号ＡＶｄが記録されている場合には、ダビング元のデジタルＡＶ信号ＡＶｄが指定されているか否かを判断するように構成される。Ｙｅｓと判断された時点で、制御はステップ＃４の圧縮方式選定情報改編サブルーチンに進む。
【００７５】
圧縮方式選定情報改編サブルーチンが実行されると、先ず、
ステップＳ４＿１において、デジタル記憶装置Ｒｄによって、記録媒体Ｍ２に記録されている第３のデジタルＡＶ信号ＡＶｄ３の種類が検出されて、圧縮記録装置ＣＲ５に接続されるディスプレイ（図示せず）を介して第３のデジタルＡＶ信号ＡＶｄ３の種類がユーザに提示される。そして、制御は次のステップＳ４＿２に進む。
【００７６】
ステップＳ４＿２において、圧縮方式選択器８ａに格納されている圧縮方式選定情報の内容、本例においてはビットレート圧縮方式対応情報の内容が、上述のディスプレイを介して、ユーザに提示して、ユーザに対する編集入力が促される。そして、所定時間の経過後、あるいはユーザによる入力がなされた後に、制御は次のステップＳ４＿３に進む。
【００７７】
ステップＳ４＿３において、ユーザによる圧縮方式選定情報（ビットレート圧縮方式対応情報）の編集入力が完了しているか否かが判断される。この判断には、ステップＳ４＿２においてユーザに入力を促す項目として、編集完了を設けておき、同項目に対する入力の有無に基づいて判断する。そして、制御は次のステップＳ４＿４に進む。
【００７８】
ステップＳ４＿４において、編集された内容が、圧縮方式選択器８ａに格納されている圧縮方式選定情報（圧縮ビットレートＢＲ圧縮記録方式）が書き込まれる。なお、圧縮方式選択器８ａに書き込む代わりに、揮発性メモリに一時的に記憶させてもよい。以降、上述のステップＳ６ｄ〜Ｓ２４における処理の後に、制御は終了する。
【００７９】
このように、本実施の形態においては、圧縮方式選択器８に格納されている圧縮方式選定情報を、ユーザが柔軟に調整できるので、よりユーザフレンドリーな圧縮記録が可能である。
【産業上の利用可能性】
【００８０】
本発明にかかる圧縮記録装置は、複数の選択肢の中から記録時の条件に従って最も効果的な画質を得ることのできる圧縮方式を自動で選択して記録を行うので、ＡＶ信号を圧縮して記録するＤＶＤレコーダやハードディスクレコーダ等に有用である。
【図面の簡単な説明】
【００８１】
【図１】本発明の実施の形態１に係る圧縮記録装置の構成を示すブロック図
【図２】図１に示した圧縮方式選択器に、圧縮方式選定情報として格納されるビットレート圧縮方式対応情報の一例を示す説明図
【図３】図１に示した圧縮記録装置の圧縮記録動作を示すフローチャート
【図４】本発明の実施の形態２に係る圧縮記録装置の構成を示すブロック図
【図５】図４に示した圧縮方式選択器に、圧縮方式選定情報として格納される媒体圧縮方式対応情報の一例を示す説明図
【図６】図４に示した圧縮記録装置の圧縮記録動作を示すフローチャート
【図７】本発明の実施の形態３に係る圧縮記録装置の構成を示すブロック図
【図８】図７に示した圧縮記録装置の圧縮記録動作を示すフローチャート
【図９】本発明の実施の形態４に係る圧縮記録装置の構成を示すブロック図
【図１０】図９に示した圧縮記録装置の圧縮記録動作を示すフローチャート
【図１１】本発明の実施の形態５に係る圧縮記録装置の構成を示すブロック図
【図１２】図１１に示した圧縮記録装置の圧縮記録動作を示すフローチャート
【符号の説明】
【００８２】
ＣＲ１，ＣＲ２，ＣＲ３，ＣＲ４，ＣＲ５  圧縮記録装置
４  第１セレクタ
６  記録媒体認識器
８ａ，８ｂ  圧縮方式選択器
１０  エンコードユニット選択器
１２  記録媒体認識器
１４  残容量算出器
１６  ビットレート算出器
１８  圧縮方式選定情報改編器
１００ａ，１００ｂ，１００ｃ，１００ｄ，１００ｅ  システムコントローラ
Ｅｎ  エンコーダ
Ｅｎ＿１〜Ｅｎ＿Ｎ  圧縮記録方式エンコードユニット
Ｍ１，Ｍ２  記録媒体
Ｒａ，Ｒｃ，Ｒｄデジタル記憶装置
【図１】
2006059469.tif 000003
【図２】
2006059469.tif 000004
【図３】
2006059469.tif 000005
【図４】
2006059469.tif 000006
【図５】
2006059469.tif 000007
【図６】
2006059469.tif 000008
【図７】
2006059469.tif 000009
【図８】
2006059469.tif 000010
【図９】
2006059469.tif 000011
【図１０】
2006059469.tif 000012
【図１１】
2006059469.tif 000013
【図１２】
2006059469.tif 000014